(57)【要約】【課題】被記録媒体が収容されるトレイへのゴミや埃等の侵入を防止することができ、且つ、上記トレイに被記録媒体を容易に補充することが可能な画像記録装置を提供すること。【解決手段】給紙カセット７８は、下段にメイントレイ３０が配置され、その上部に支持ベース１１０が固定されている。支持ベース１１０には、排紙トレイ２３とセカンドトレイ２１とがスライド可能に支持されている。給紙カセット７８がプリンタ部１１のケーシング１４に装着された姿勢において、メイントレイ３０の上面の開口１４１が排紙トレイ２３で覆われた状態で排紙トレイ２３がケーシング１４に保持されている。給紙カセット７８がケーシング１４から引き出されると、メイントレイ２０だけが引き出されて、開口１４１が露出される。【選択図】図９
2010235296.tif 000002
【特許請求の範囲】
【請求項１】
装置本体に対して第１方向に沿って挿抜可能に構成され、上面に被記録媒体の挿入口が形成された第１トレイと、
上記第１トレイの上部に設けられ、上記挿入口を開放する第１位置と上記挿入口を閉塞する第２位置との間で上記第１方向に沿って移動可能に支持されたカバーと、
上記装置本体における上記第１トレイの装着姿勢において、上記カバーが上記第２位置に配置された状態で上記カバーを上記装置本体に保持させる保持機構と、を具備する画像記録装置。
【請求項２】
上記第１トレイが上記第１方向の一方側の脱抜向きへ移動する過程で、当該移動の際に加えられた上記脱抜向きへの力を上記カバーに伝達して、上記保持機構による保持を解除する保持解除機構を更に備える請求項１に記載の画像記録装置。
【請求項３】
上記保持解除機構は、上記第１トレイにおいて上記第１位置から上記第２位置とは反対側への上記カバーの移動を規制する規制部材を有し、
上記保持機構は、上記規制部材による移動規制時に加えられる力より小さい所定の係合力で上記カバーと装置本体とを係合するものである請求項２に記載の画像記録装置。
【請求項４】
上記カバーが上記第１位置に配置された状態の上記第１トレイが上記装置本体に挿入される過程で、上記カバーに当接して上記第２位置側への押圧力を付与する押圧部材を更に備える請求項１から３のいずれかに記載の画像記録装置。
【請求項５】
上記第１トレイの上部に設けられ、上記第１方向に沿って移動可能に支持された第２トレイと、
上記カバーと上記第２トレイとを上記第１方向に係合するとともに、上記カバーの移動により生じた力を上記第２トレイに伝達する係合機構と、を備える請求項１から４のいずれかに記載の画像記録装置。
【請求項６】
上記第１トレイの上部に固定された支持部材を更に備え、
上記カバー及び上記第２トレイは、上記支持部材によって移動可能に支持されている請求項１から５のいずれかに記載の画像記録装置。
【請求項７】
画像記録部によって一方の面に画像が記録された被記録媒体を上記画像記録部の上流側へ戻す搬送路と、
上記画像記録部を通過した被記録媒体をスイッチバックさせて上記搬送路へ搬送する搬送手段と、
上記支持部材において上記第１方向に沿って移動可能なように上記カバーと上記第２トレイとの間に設けられ、上記搬送路の一部を形成するガイド部材と、を更に備える請求項６に記載の画像記録装置。
【請求項８】
上記カバーの上面は、画像記録済の被記録媒体を保持する保持面を兼ねる請求項１から７のいずれかに記載の画像記録装置。
【発明の詳細な説明】
【技術分野】
【０００１】
本発明は、装置本体に対して挿抜可能に支持され、被記録媒体が収容可能なトレイを備えた画像記録装置に関するものである。
【背景技術】
【０００２】
プリンタなどの画像記録装置に適用されるシート供給トレイの一例として、給紙トレイと排紙トレイとが上下２段に配設されたシート供給トレイが公知である（特許文献１参照）。このシート供給トレイは、下段に給紙トレイが配置され、上段に排紙トレイが配置されている。給紙トレイの上面は、被記録媒体である記録用紙を補充可能なように開放されており、排紙トレイは、給紙トレイの上面を覆うように設けられている。つまり、特許文献１の画像記録装置において、排紙トレイはカバーとして機能している。これにより、給紙トレイへのゴミや埃などの侵入が防止されている。
【先行技術文献】
【特許文献】
【０００３】
【特許文献１】特開２００９−５１６６５号公報
【発明の概要】
【発明が解決しようとする課題】
【０００４】
しかしながら、特許文献１に記載の画像記録装置では、給紙トレイへのゴミや埃等の侵入が防止されるものの、記録用紙を給紙トレイに補充する場合に、ユーザは、先ず、画像記録装置からシート供給トレイを引き出して、その後、給紙トレイの上面から排紙トレイを取り外すという２行程の作業を行う必要がある。そのため、記録用紙の補充作業が極めて面倒である。一方、給紙トレイの上面が覆われていない構成では、画像記録装置から給紙トレイを引き出すだけで記録用紙の補充が可能であるが、給紙トレイに埃やゴミが侵入し易くなり、記録用紙に付着した埃やゴミによって画像品質が低下し、場合によっては、ゴミ詰まりにより画像記録装置が故障するという問題に発展しかねない。
【０００５】
そこで、本発明は上記問題に鑑みてなされたものであり、その目的は、被記録媒体が収容されるトレイへのゴミや埃等の侵入を防止することができ、且つ、上記トレイに被記録媒体を容易に補充することが可能な画像記録装置を提供することにある。
【課題を解決するための手段】
【０００６】
(1)  本発明は、装置本体に対して第１方向に沿って挿抜可能に構成され、上面に被記録媒体の挿入口が形成された第１トレイと、上記第１トレイの上部に設けられ、上記挿入口を開放する第１位置と上記挿入口を閉塞する第２位置との間で上記第１方向に沿って移動可能に支持されたカバーと、上記装置本体における上記第１トレイの装着姿勢において、上記カバーが上記第２位置に配置された状態で上記カバーを上記装置本体に保持させる保持機構と、を具備する画像記録装置として構成されている。
【０００７】
第１トレイの装着姿勢において、保持機構によってカバーが第２位置に保持されている。この状態では、挿入口がカバーによって閉塞されているから、挿入口を通じて第１トレイにゴミや埃が侵入することが防止される。装置本体から第１トレイが引き出される際に、第１トレイが装置本体から外方へ移動する。この移動過程において、カバーは保持機構によって第２位置で保持された状態を維持する。つまり、カバーは装置本体から外方へ移動しない。言い換えると、カバーは、引き出される第１トレイに対して第２位置から第１位置へ相対的に移動する。このため、引き出された第１トレイの挿入口が開放される。これにより、ユーザは、カバーを取り外して挿入口を開放させるという面倒な作業を行うことなく、被記録媒体を第１トレイに容易に補充することができる
【０００８】
(2)  上記第１トレイが上記第１方向の一方側の脱抜向きへ移動する過程で、当該移動の際に加えられた上記脱抜向きへの力を上記カバーに伝達して、上記保持機構による保持を解除する保持解除機構を更に備えることが好ましい。
【０００９】
この保持解除機構が設けられているため、挿入口が開放された状態で、第１トレイおよびカバーが装置本体から完全に取り外される。
【００１０】
(3)  上記保持解除機構は、上記第１トレイにおいて上記第１位置から上記第２位置とは反対側への上記カバーの移動を規制する規制部材を有する。また、上記保持機構は、上記規制部材による移動規制時に加えられる力より小さい所定の係合力で上記カバーと装置本体とを係合するものである。
【００１１】
上記保持機構によって上記カバーが装置本体に保持された状態で、第１トレイが脱抜向きへ移動されると、カバーは第１トレイに対して第２位置から第１位置まで相対的に移動する。カバーが第１位置に到達すると、規制部材によってそれ以上の移動が規制される。このとき、第１トレイの移動時に第１トレイに加えられた脱抜向きへの力が規制部材を介してカバーに伝達される。この伝達された力が保持機構による係合力を上回る力である場合は、保持機構による保持機能が働かなくなり、上記係合力に抗して第１トレイとカバーとが一体になって脱抜向きへ移動する。これにより、挿入口が開放された状態で、第１トレイおよびカバーを装置本体から外部へ完全に取り外すことができる。
【００１２】
(4)  本発明の画像記録装置は、上記カバーが上記第１位置に配置された状態の上記第１トレイが上記装置本体に挿入される過程で、上記カバーに当接して上記第２位置側への押圧力を付与する押圧部材を更に備えることが好ましい。
【００１３】
装置本体に対する第１トレイの挿入時に、カバーと当接部材とが当接する。この当接によって、挿入時に第１トレイに加えられた力と逆向きで同じ大きさの力が当接部材からカバーに伝達する。この力を受けて、カバーは、第１トレイに対して第１位置から第２位置へ相対的に移動する。第１トレイが装着姿勢となると、カバーが第２位置に配置されて、挿入口がカバーで閉塞される。
【００１４】
(5)  本発明の画像記録装置は、上記第１トレイの上部に設けられ、上記第１方向に沿って移動可能に支持された第２トレイと、上記カバーと上記第２トレイとを上記第１方向に係合するとともに、上記カバーの移動により生じた力を上記第２トレイに伝達する係合機構と、を備える。
【００１５】
これにより、カバーが第２位置から第１位置側へ移動した場合、或いはカバーが第１位置から第２位置側へ移動した場合に、第２トレイも同じ向きへ移動する。また、第１トレイの装着姿勢において挿入口が第２トレイによって閉塞されていても、第１トレイが引き出されたときには、挿入口が開放される。
【００１６】
(6)  本発明の画像記録装置は、上記第１トレイの上部に固定された支持部材を更に備える。この場合、上記カバー及び上記第２トレイは、上記支持部材によって移動可能に支持されたものが考えられる。
【００１７】
(7)  また、本発明の画像記録装置は、画像記録部によって一方の面に画像が記録された被記録媒体を上記画像記録部の上流側へ戻す搬送路と、上記画像記録部を通過した被記録媒体をスイッチバックさせて上記搬送路へ搬送する搬送手段と、上記支持部材において上記第１方向に沿って移動可能なように上記カバーと上記第２トレイとの間に設けられ、上記搬送路の一部を形成するガイド部材と、を更に備えたものであってもよい。
【００１８】
(8)  上記カバーの上面は、画像記録済の被記録媒体を保持する保持面を兼ねていることが好ましい。
【発明の効果】
【００１９】
本発明によれば、画像記録装置において、第１トレイへのゴミや埃等の侵入が防止され、且つ、第１トレイへの被記録媒体の補充が容易となる。
【図面の簡単な説明】
【００２０】
【図１】図１は、本発明の第１実施形態の一例である複合機１０の外観斜視図である。
【図２】図２は、プリンタ部１１の内部構造を模式的に示す縦断面図である。
【図３】図３は、給紙カセット７８の構成を示す斜視図である。
【図４】図４は、メイントレイ２０の構成を示す斜視図である。
【図５】図５は、支持ベース１１０、セカンドトレイ２１、及び排紙トレイ２３の構成を示す斜視図であり、（Ａ）には表面側の構成が示されており、（Ｂ）には裏面側の構成が示されている。
【図６】図６は、給紙カセット７８の後端部の構成を示す部分拡大図であり、（Ａ）には支持ベース１１０に対してセカンドトレイ２１が固定された状態が示されており、（Ｂ）には支持ベース１１０に対してセカンドトレイ２１が移動可能な状態が示されている。
【図７】図７は、複合機１０の底面図であり、（Ａ）には複合機１０の底面の全体が示されており、（Ｂ）には（Ａ）における要部VIIBの部分拡大図が示されている。
【図８】図８は、給紙カセット７８と係合片１５１及びストッパー１６１との位置関係を示す部分斜視図である。
【図９】図９は、給紙カセット７８の着脱動作を説明するための斜視図であり、（Ａ）にはケーシング１４内に給紙カセット７８が装着された状態が示されており、（Ｂ）にはケーシング１４から給紙カセット７８が引き出された状態が示されている。
【図１０】図１０は、給紙カセット７８の着脱動作を説明するための斜視図であり、（Ａ）にはケーシング１４内に給紙カセット７８が装着された状態が示されており、（Ｂ）にはケーシング１４から給紙カセット７８が引き出された状態が示されている。
【図１１】図１１は、第１実施形態の変形例１の構成を示す斜視図であり、（Ａ）はセカンドトレイ２１及び排紙トレイ２３の裏面側の構成を示す斜視図であり、（Ｂ）は（Ａ）における要部XIBの部分拡大図である。
【図１２】図１２は、第１実施形態の変形例２の給紙カセット７８の構成を示す斜視図である。
【図１３】図１３は、本発明の第２実施形態に係る複合機１０のプリンタ部１１の構造を示す縦断面図である。
【図１４】図１４は、排紙路６５Ｂ付近の構成を示す部分拡大断面図である。
【図１５】図１５は、第２実施形態の変形例の給紙カセット７８の構成を示す斜視図である。
【発明を実施するための形態】
【００２１】
以下、適宜図面を参照して、本発明の好ましい実施形態について説明する。なお、以下に説明される実施形態は本発明の一例にすぎず、本発明の要旨を変更しない範囲で、本発明の実施形態を適宜変更できることは言うまでもない。
【００２２】
〈第１実施形態〉
［複合機１０の概略］
図１は、本発明の第１実施形態である複合機１０の外観斜視図である。なお、以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。
【００２３】
複合機１０は、高さ（上下方向７の長さ）に対して横幅（左右方向９の長さ）及び奥行き（前後方向８の長さ）が大きい薄型の直方体に概ね形成されている。複合機１０は、主に、下部に設けられたインクジェット記録方式のプリンタ部１１と、上部に設けられたスキャナ部１２とを一体的に備えた多機能装置である。複合機１０は、ファクシミリ機能、プリンタ機能、スキャナ機能、及び、コピー機能などの各種の機能を有している。プリンタ機能としては、記録用紙の表面（第１面）及び裏面（第２面）の両面に画像を記録する両面画像記録機能を有している。なお、プリンタ機能以外の機能は任意であり、例えば、スキャン機能やコピー機能、ファクシミリ機能を有しないプリンタ機能のみを有するプリンタとして本発明の画像記録装置が実施されてもよい。
【００２４】
プリンタ部１１は、正面に開口１３が形成されたケーシング１４（本発明の装置本体の一例）を有する。ケーシング１４内にプリンタ部１１の各構成要素が配置されいる。開口１３からケーシング１４の内部側へ連続するように収容室１６が区画されている。この収容室１６に給紙カセット７８が装着されている。この給紙カセット７８は、開口１３からケーシング１４内に前後方向８に挿抜可能に構成されている。給紙カセット７８は、各種サイズの記録用紙（本発明の被記録媒体の一例）を収容可能なメイントレイ２０（本発明の第１トレイの一例）と、その上方で前後方向８へスライド可能なセカンドトレイ２１（本発明の第２トレイの一例）と、排紙トレイ２３（本発明のカバーの一例）とを有する。なお、給紙カセット７８の構成については後段で詳述する。
【００２５】
［プリンタ部１１の構成］
次に、図２を参照しながら、プリンタ部１１の構成について説明する。図２は、プリンタ部１１の内部構造を示す縦断面図である。なお、図２では、給紙カセット７８の前方側（紙面右側）の図示が省略されている。
【００２６】
プリンタ部１１は、上述した給紙カセット７８に加えて、給紙カセット７８から記録用紙をピックアップして給紙（給送）する給送部１５と、給送部１５によって給紙された記録用紙にインク滴を吐出して記録用紙に画像を形成するインクジェット記録方式の記録部２４と、を備えている。これらがケーシング１４内に設けられている。なお、記録部２４は、インクジェット方式に限られず、電子写真方式、或いは感熱記録方式など、種々の記録方式のものが適用可能である。
【００２７】
［搬送路６５］
プリンタ部１１の内部には、メイントレイ２０の先端（後方側の端部）から記録部２４を経て排紙トレイ２３に至る搬送路６５が形成されている。搬送路６５は、メイントレイ２０の先端から記録部２４に至る間に形成された湾曲路６５Ａを有している。
【００２８】
図２に示されるように、湾曲路６５Ａは、メイントレイ２０に設けられた分離傾斜板２２の上端付近から記録部２４に渡って延設された湾曲状の通路である。この湾曲路６５Ａは、所定間隔を隔てて互いに対向する外側ガイド部材１８及び内側ガイド部材１９によって区画されている。外側ガイド部材１８は、プリンタ部１１の内部側を中心とする円弧形状に概ね形成されたガイド面１８Ａを有しており、内側ガイド部材１９は、同様に、プリンタ部１１の内部側を中心とする円弧形状に概ね形成されたガイド面１９Ａを有している。これらのガイド面１８Ａ，１９Ａによって区画された空間が湾曲路６５Ａである。なお、外側ガイド部材１８及び内側ガイド部材１９は、いずれも、図２の紙面垂直方向（図１の左右方向９）へ延出されている。
【００２９】
［記録部２４］
図２に示されるように、記録部２４は、給紙カセット７８の上方に配置されている。記録部２４は、図２の紙面垂直方向（主走査方向）に延出されたガイドレール（不図示）に沿って往復動するように構成されている。記録部２４の下方にプラテン４２が設けられている。プラテン４２は、記録部２４によって画像記録が行われる際に、記録用紙を水平に支持するものである。記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００３０】
記録部２４よりも搬送方向の上流側（以下、単に「上流側」と略称する。）には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、湾曲路６５Ａを通って搬送されてきた記録用紙を狭持してプラテン４２上へ送る。なお、搬送方向とは、記録用紙が搬送路６５を搬送される向き（図２において矢印付きの二点鎖線で示される向き）を指す。
【００３１】
また、記録部２４よりも搬送方向の下流側（以下、単に「下流側と略称する。」）には、第２搬送ローラ６２及び拍車ローラ６３が設けられている。これらは対をなしている。拍車ローラ６３は、第２搬送ローラ６２の上方に配置されており、自重若しくはバネなどによって第２搬送ローラ６２のローラ面に圧接されている。第２搬送ローラ６２及び拍車ローラ６３は、記録済みの記録用紙を狭持してさらに下流側の排紙トレイ２３へ排出する。
【００３２】
第１搬送ローラ６０及び第２搬送ローラ６２は、搬送用モータ（不図示）から駆動伝達機構（不図示）を介して回転駆動力が伝達されて回転される。第１搬送ローラ６０及び第２搬送ローラ６２は、画像記録時に間欠駆動される。そのため、記録用紙は、所定の改行幅で送られながら画像記録がなされる。本実施形態では、後述する第３搬送ローラ４５を正回転方向又は逆回転方向へ回転させる回転駆動力も上記搬送用モータから供給される。そのため、第１搬送ローラ６０及び第２搬送ローラ６２への駆動伝達機構の一例として、遊星ギヤなどから構成されており、上記搬送用モータが正回転方向又は逆回転方向のいずれに回転されても、記録用紙を一方向（図２の右側）へ搬送させるべく、第１搬送ローラ６０及び第２搬送ローラ６２を一回転方向へ回転させる機構が考えられる。なお、第１搬送ローラ６０及び第２搬送ローラ６２の駆動源と第３搬送ローラ４５の駆動源とが別々に設けられている場合は、上記駆動伝達機構は、上記遊星ギヤを含む構成に限られない。
【００３３】
［給送部１５］
給送部１５は、給紙カセット７８に収容された記録用紙を湾曲路６５Ａへ向けて搬送するためのものであり、給送ローラ２５と、支持アーム２６と、駆動伝達機構２７とを備えている。給送ローラ２５は、記録部２４と給紙カセット７８との間に配置されている。給送ローラ２５は、給紙カセット７８のメイントレイ２０に収容された記録用紙をピックアップして湾曲路６５Ａへ給紙するものであり、支持アーム２６の先端に回転自在に軸支されている。給送ローラ２５は、駆動源の一例である給紙用モータ（不図示）の回転力が駆動伝達機構２７を介して伝達されると回転駆動される。なお、駆動伝達機構２７は、支持アーム２６に軸支されており、概ね支持アーム２６の延出方向に沿って直線状に並ぶ複数のギヤで構成されている。
【００３４】
記録部２４と給紙カセット７８との間に基軸２８が設けられている。支持アーム２６は、その基端部が基軸２８に支持されており、基軸２８を回動中心軸として回転可能に構成されている。このため、支持アーム２６は、メイントレイ２０に対して接離可能に上下動することができる。また、支持アーム２６は、自重により又はバネ等の弾性部材による弾性力により、図２の矢印２９の方向へ回動付勢されている。このため、給送ローラ２５は、例えばメイントレイ２０に収容された記録用紙の上面に圧接可能である。また、セカンドトレイ２１が後述する給紙位置に配置されているときは、給送ローラ２５は、セカンドトレイ２１に収容された記録用紙の上面に圧接可能である。支持アーム２６は、給紙カセット７８がプリンタ部１１に対して挿入される際に、給紙カセット７８の後端部（例えば、分離傾斜板２２）に押圧されることによって、上方へ押し上げられるように構成されている。
【００３５】
［給紙カセット７８］
次に、図２から図６を参照して、給紙カセット７８について詳細に説明する。給紙カセット７８は、給送部１５の下方に設けられている。給紙カセット７８のメイントレイ２０は、プリンタ部１１の底側に配置されている。メイントレイ２０は、Ｌｅｔｔｅｒサイズ（２１６ｍｍ×２７４ｍｍ）、リーガルサイズ（２１６ｍｍ×３５６ｍｍ）、Ａ４サイズ（２１０ｍｍ×２９７ｍｍ）、及びこれらのサイズよりも小さいサイズの記録用紙を収容可能である。本実施形態の複合機１０では、主として、Ａ４サイズ、Ｂ５サイズなどの記録用紙がメイントレイ２０に収容される。
【００３６】
図４に示されるように、メイントレイ２０は、記録用紙が載置される底板５４と、底板５４の左右方向９の両端部から立設された側板５５，５６と、底板５４の後方側の端部に立設された分離傾斜板２２とを有している。このメイントレイ２０は、上面が開放された概ね矩形箱状に構成されている。分離傾斜板２２は、記録用紙を円滑に給紙可能なように後方側へ傾倒している。分離傾斜板２２の内面２２Ａには図示しない複数の歯が突出している。そのため、仮に複数の記録用紙が重なった状態で給紙されても、分離傾斜板２２の内面２２Ａに記録用紙の先端が当接したときに上記歯によって最上位の記録用紙だけが分離されて湾曲路６５Ａへ給紙される。また、分離傾斜板２２には、その上端から下方へ切り欠かれた矩形状の切欠部２２Ｂが形成されている。この切欠部２２Ｂに、後述するセカンドトレイ２１に設けられたＬ字状の爪１２７が入り込む。
【００３７】
側板５５，５６それぞれの内側には、底板５４から起立された板状のリブ５２，５３が設けられている。リブ５２，５３は、メイントレイ２０の後方側に設けられている。リブ５２，５３は、側板５５，５６に沿って平行に設けられている。これらのリブ５２，５３に後述する支持ベース１１０（本発明の支持部材の一例）の支持溝１１６，１１７が挿入可能となっている。
【００３８】
［排紙トレイ２３・セカンドトレイ２１・支持ベース１１０］
メイントレイ２０の上部に支持ベース１１０が取り付けられている。この支持ベース１１０に排紙トレイ２３及びセカンドトレイ２１がスライド可能に支持されている。
【００３９】
図５に示されるように、支持ベース１１０は、排紙トレイ２３が支持されるベース本体１１２と、支持ベース１１０をメイントレイ２０の上部に位置決めするためのアーム１１３，１１４とを有する。ベース本体１１２は、メイントレイ２０の左右方向９の寸法とほぼ同じ寸法を有する板状の部材である。
【００４０】
排紙トレイ２３は、記録部２４から排出された画像記録済みの記録用紙を保持する役割と、メイントレイ２０の前方側の開口１４１（本発明の挿入口に相当）を覆い隠して開口１４１のカバーとして機能する役割とを有する。排紙トレイ２３は、ベース本体１１２やメイントレイ２０の左右方向９の寸法よりも若干大きく形成されている。したがって、排紙トレイ２３の左右方向９の両端の側壁１２１，１２２は、ベース本体１１２やメイントレイ２０の両側端部から外方向へとはみ出している。排紙トレイ２３の上面に記録用紙が支持される。排紙トレイ２３には、拡張トレイ１４９が設けられている。拡張トレイ１４９は、排紙トレイ２３の裏面側で前後方向へスライド可能に支持されており、図５（Ｂ）に示されるように裏面側に収容された状態から前方へ引き出されることによって外部に露出される。これにより、排紙トレイ２３の上面が拡大される。
【００４１】
排紙トレイ２３は、ベース本体１１２の上面１１２Ａに沿って前後方向８へスライド可能に支持されている。詳細には、前後方向８に延びる複数のレール１１９が上面１１２Ａに形成され、排紙トレイ２３にはレール１１９が挿通される複数の溝１２３が形成されており、上面１１２Ａに排紙トレイ２３が配置された状態でレール１１９に溝１２３が挿通されることで、排紙トレイ２３がベース本体１１２によってスライド可能に支持される。本実施形態では、排紙トレイ２３は、ベース本体１１２から前方へ延びてメイントレイ２０の前方側の開口１４１を覆い隠す閉塞位置（本発明の第２位置に相当、図９（Ａ）参照）と、ベース本体１１２の上面を後方へ移動して開口１４１を開放する開放位置（本発明の第１位置に相当、図９（Ｂ）参照）との間で移動可能となる。排紙トレイ２３が上記閉塞位置に配置された状態で、開口１４１が覆われることにより、開口１４１へのゴミや埃の侵入が防止される。
【００４２】
排紙トレイ２３の左右方向９の両側壁１２１，１２２には、切り欠き１４６，１４７が形成されている。この切り欠き１４６，１４７は、給紙カセット７８がケーシング１４の開口１３内に装着されたときに、ケーシング１４に設けられた係合片１５１，１５２が進入可能な寸法に形成されている。なお、本実施形態では、切り欠き１４６，１４７と係合片１５１，１５２とによって、本発明の保持機構が実現されている。
【００４３】
ベース本体１１２には、一対のアーム１１３，１１４が設けられている。アーム１１３，１１４は、ベース本体１１２の左右方向の両端部から後方へ突出している。図５（Ｂ）に示されるように、アーム１１３，１１４の裏面には、前後方向８に延びる支持溝１１６，１１７が形成されている。支持ベース１１０がメイントレイ２０の上部に配置されると、支持溝１１６，１１７にメイントレイ２０のリブ５２，５３が挿入される。これにより、メイントレイ２０の上部に支持ベース１１０が取り付けられて、位置決めされる。
【００４４】
アーム１１３，１１４には、その左右方向９の内側面から左右方向９の内側へ突出した支持プレート１２５，１２６が設けられている。支持プレート１２５，１２６は、ベース本体１１２と平行なように、アーム１１３，１１４に一体に形成されている。支持プレート１２５，１２６は、ベース本体１１２よりも下方へオフセットされた位置に配置されている。つまり、支持プレート１２５，１２６とベース本体１１２との間には隙間が形成されている。図５（Ｂ）に示されるように、支持プレート１２５，１２６は、ベース本体１１２の裏側を通ってベース本体１１２の前方端まで延びている。この支持プレート１２５，１２６の上面１２５Ａ，１２６Ａに、セカンドトレイ２１の左右方向９の両方の端部１３５，１３６が載置されるように支持される。これにより、セカンドトレイ２１が、ベース本体１１２の裏側に収容された収容位置（図９（Ａ）参照）と、ベース本体１１２から後方へ露出されてセカンドトレイ２１の記録用紙を湾曲路６５Ａへ給紙可能な給紙位置（図９（Ｂ）参照）との間でセカンドトレイ２１が移動可能となる。なお、上記給紙位置は、セカンドトレイ２１の後方側の端部２１Ａが分離傾斜板２２に近接して、端部２１Ａに設けられた爪１２７が分離傾斜板２２の切欠部２２Ｂに入り込む位置である。本実施形態では、支持プレート１２５，１２６の上面１２５Ａ，１２６Ａとセカンドトレイ２１の端部１３５，１３６との接触部分に、セカンドトレイ２１が上記給紙位置に到達したときにセカンドトレイ２１の後方への移動を規制する規制部材（不図示）が設けられている。この規制部材によってセカンドトレイ２１の後方への移動が上記給紙位置で規制されるので、セカンドトレイ２１の端部２１Ａが分離傾斜板２２に接触しない。また、上記収容位置は、セカンドトレイ２１の後方側の端部２１Ａが分離傾斜板２２から所定距離だけ前方側へ離間する位置である。
【００４５】
セカンドトレイ２１は、メイントレイ２０の左右方向９の寸法とほぼ同じ寸法を有する板状の部材である。セカンドトレイ２１の左右方向９の中央部に凹部１２８が形成されている。この凹部１２８に記録用紙が収容される。本実施形態では、最大で葉書サイズ（１００×１４８ｍｍ）の記録用紙が凹部１２８に収容可能であり、主として、葉書サイズ、写真Ｌ版サイズの記録用紙（葉書、光沢紙など）が収容される。なお、セカンドトレイ２１の凹部１２８は、葉書サイズ以上の記録用紙、例えばメイントレイ２０と同様にＡ４サイズの記録用紙等を収容可能なものであってもよい。
【００４６】
図５（Ｂ）に示されるように、セカンドトレイ２１の裏面には、前後方向８に延びる一対のリブ１３２，１３３が立設されている。リブ１３２，１３３はセカンドトレイ２１の前端から後端に渡って設けられている。リブ１３２，１３３から左右方向９の両端に至る端部１３５，１３６が上面１２５Ａ，１２６Ａ（図５（Ａ）参照）に支持される。セカンドトレイ２１には、左側のリブ１３２の側面から左側外向きへ突出する突出片１３０（本発明の規制部材の一例）と、右側のリブ１３３の側面から右側外向きへ突出する突出片１３１（本発明の規制部材の一例）とが設けられている。これらの突起片１３０，１３１は、セカンドトレイ２１が給紙位置に配置された状態で、排紙トレイ２１が上記開放位置よりも後方（閉塞位置とは反対側の向き）へ移動することを規制する役割を有する。
【００４７】
突出片１３０，１３１は、リブ１３２，１３３の前方端側に設けられている。これらの突出片１３０，１３１は、端部１３５，１３６と高さ方向に隔てられており、セカンドトレイ２１が支持ベース１１０に取り付けられた状態で、支持プレート１２５の裏側に配置される。したがって、セカンドトレイ２１は、その両端部１３５，１３６と突出片１３０，１３１とによって支持プレート１２５，１２６を挟むようにして支持ベース１１０に支持されている。このようにセカンドトレイ２１が支持ベース１１０に支持されているため、支持ベース１１０に対してセカンドトレイ２１が前後方向８へスライドするように移動可能となる。
【００４８】
図５（Ｂ）に示されるように、排紙トレイ２３の裏面には、セカンドトレイ２１の突出片１３０，１３１に当接されるリブ１３８，１３９が設けられている。リブ１３８，１３９は、排紙トレイ２３の裏面に立設された前後方向８に延びる部材であり、排紙トレイ２３と一体に形成されている。したがって、ベース本体１１２に対して排紙トレイ２３が前後方向８へ移動すると同方向へ移動する。本実施形態では、排紙トレイ２３が上記閉塞位置（図９（Ａ）参照）にある状態では、セカンドトレイ２１が上記収容位置と上記給紙位置との間を自在に移動可能であり、排紙トレイ２３が上記開放位置（図９（Ｂ）参照）にある状態では、突出片１３０，１３１がリブ１３８，１３９によって前方へ押し付けられてセカンドトレイ２１が上記給紙位置に位置決めされるように、リブ１３８，１３９及び突出片１３０，１３１の位置や寸法などが設計されている。なお、リブ１３８，１３９及び突出片１３０，１３１によって、本発明の保持解除機構及び係合機構が実現されている。
【００４９】
図６に示されるように、セカンドトレイ２１の右端部１３６における後端側には、ロックレバー１４５が設けられている。ロックレバー１４５は、右端部１３６の上面において左右方向９へスライド可能に支持されている。詳細には、ロックレバー１４５は、右側のアーム１１４に形成された切り欠き１４３に進入可能なロック位置（図６（Ａ）参照）と切り欠き１４３から内側へ退避されたアンロック位置（図６（Ｂ）参照）との間でスライド可能である。セカンドトレイ２１が上記給紙位置（図９（Ｂ）参照）に配置された状態で、ロックレバー１４５が上記ロック位置にスライドされると、ロックレバー１４５と切り欠き１４３とが前後方向８に係合する。これにより、支持ベース１１０に対してセカンドトレイ２１が前後方向８に固定される。
【００５０】
セカンドトレイ２１が上記収容位置（図９（Ａ）参照）に配置された状態では、メイントレイ２０の後方側の上面が開けられて開口１４２が現れる。このとき、給送ローラ２５がセカンドトレイ２１で支持されなくなり、メイントレイ２０の後方側の上記開口１４２からメイントレイ２０側へ下降して、メイントレイ２０に収容された記録用紙に当接する（図２参照）。この状態で、給送ローラ２５が回転されると、メイントレイ２０に収容された記録用紙が湾曲路６５Ａへ向けて給紙される。
【００５１】
一方、セカンドトレイ２１が上記収容位置から上記給紙位置（図９（Ｂ）参照）へスライドされると、セカンドトレイ２１の後方側の端部２１Ａが支持アーム２６に接触して、支持アーム２６を上方へ押し上げる。これにより、給送ローラ２５が、セカンドトレイ２１上に配置される（図２の破線参照）。給送ローラ２５がセカンドトレイ２１上に配置されると、給送ローラ２５はセカンドトレイ２１に収容された記録用紙の上面に当接する。この状態で、給送ローラ２５が回転されると、セカンドトレイ２１に収容された記録用紙が湾曲路６５Ａへ向けて給紙される。
【００５２】
［保持機構］
次に、図７及び図８を参照して、ケーシング１４における給紙カセット７８の保持機構について説明する。本実施形態の保持機構は、排紙トレイ２３の側壁１２１，１２２に形成された上述の切り欠き１４６，１４７と、ケーシング１４に設けられた係合片１５１，１５２とによって構成されている。
【００５３】
図７は、複合機１０の底面図であり、（Ａ）には複合機１０の底面の全体が示されており、（Ｂ）には（Ａ）における要部VIIBの部分拡大図が示されている。なお、説明の便宜上、図７（Ａ）では、給紙カセット７８のメイントレイ２０、支持ベース１１０、及びセカンドトレイ２１の図示が省略されている。つまり、図７（Ａ）では、給紙カセット７８が装着された状態において排紙トレイ２３だけが示されており、給紙カセット７８の他の構成が省略されている。図８は、給紙カセット７８と係合片１５２及びストッパー１６２との位置関係を示す部分斜視図である。図８では、説明の便宜上、ケーシング１４が省略されている。図７（Ａ）に示されるように、給紙カセット７８が収容室１６に装着された状態で、排紙トレイ２３の側壁１２１，１２２は、収容室１６の両側面を区画するケーシング１４の内壁１４Ａと対向している。係合片１５１は、収容室１６の左側の内壁１４Ａに設けられており、係合片１５２は、収容室１６の右側の内壁１４Ａに設けられている。
【００５４】
内壁１４Ａには、左右方向９に延びる図示しない支持孔が形成されており、係合片１５１，１５２は、この支持孔の軸方向に沿って移動可能なように、支持孔によって支持されている。図７（Ｂ）及び図８に示されるように、係合片１５２は、ヘッド部１５４と棒状のバネ受け１５５とを有する。ヘッド部１５４の先端は先細り形状に形成されている。詳細には、ヘッド部１５４は、前方側に形成された傾斜壁１５４Ａと後方側に形成された傾斜壁１５４Ｂとにより先細り形状に形成されている。バネ受け１５５は、ヘッド部１５４から内壁１４Ａ側へ延びている。このバネ受け１５５にコイルバネ１５６が支持されている。コイルバネ１５６は、上記支持孔に配置されており、係合片１５２を内壁１４Ａから収容室１６側へ付勢している。なお、係合片１５１は、係合片１５２と同じ構成であるため、ここではその説明を省略する。
【００５５】
係合片１５１，１５２は、給紙カセット７８が収容室１６に装着された状態で、且つ、排紙トレイ２３が上記閉塞位置（図９（Ａ）参照）に配置された状態で、ヘッド部１５４が排紙トレイ２３の切り欠き１４６，１４７に進入可能な位置に設けられている。ヘッド部１５４が排紙トレイ２３の切り欠き１４６，１４７に進入することによって、前後方向８において、ヘッド部１５４と切り欠き１４６，１４７とがコイルバネ１５６の付勢力に応じた係合力で係合し、排紙トレイ２３が上記閉塞位置で保持される。
【００５６】
内壁１４Ａには、ストッパー１６１，１６２（本発明の押圧部材の一例）が設けられている。ストッパー１６１は、収容室１６の左側の内壁１４Ａに設けられており、ストッパー１６２は、収容室１６の右側の内壁１４Ａに設けられている。各ストッパー１６１，１６２は、係合片１５１，１５２よりも後方側に設けられている。ストッパー１６１，１６２は、内壁１４Ａから収容室１６側へ突出している。ストッパー１６１，１６２の突出長さは、給紙カセット７８が収容室１６に装着された状態で、ストッパー１６１，１６２の前方端部１６１Ａ，１６２Ａが、排紙トレイ２３の側壁１２１，１２２の後方端部１２１Ａ，１２２Ａに接触する程度に設定されている。また、ストッパー１６１，１６２は、給紙カセット７８が収容室１６に装着された状態で、且つ、排紙トレイ２３が上記開放位置（図９（Ｂ）参照）に配置された状態で給紙カセット７８が収容室１６に装着される過程で、後方端部１２１Ａ，１２２Ａと前方端部１６１Ａ，１６２Ａとが当接して、排紙トレイ２３が開放位置から閉塞位置へ移動させ得る位置に設けられている。
【００５７】
［給紙カセット７８の着脱動作］
以下、図９及び図１０を参照して、ケーシング１４に対する給紙カセット７８の着脱動作について説明する。なお、図９（Ａ）には、メイントレイ２０から記録用紙が給紙可能な状態が示されている。また、図１０（Ａ）には、セカンドトレイ２１から記録用紙が給紙可能な状態が示されている
【００５８】
まず、メイントレイ２０から記録用紙を給紙可能な状態にある給紙カセット７８をケーシング１４から取り出す動作について説明する。図９（Ａ）に示されるように、排紙トレイ２３が閉塞位置に配置され、且つ、セカンドトレイ２１が収容位置に配置された状態で、給紙カセット７８がケーシング１４内に装着されている。この状態では、係合片１５１，１５２のヘッド部１５４が切り欠き１４６，１４７に進入している。そのため、排紙トレイ２３は、上記閉塞位置で保持されている。つまり、給紙カセット７８が装着姿勢のあるときの上記閉塞位置で、排紙トレイ２３は係合片１５１，１５２と切り欠き１４６，１４７とによってケーシング１４に保持されている。
【００５９】
図９（Ａ）に示される状態から、ユーザによって給紙カセット７８が前方へ引っ張られると、メイントレイ２０が開口１３から前方側へ移動し始める。このとき、排紙トレイ２３は係合片１５１，１５２によってケーシング１４内で保持されている。この場合、排紙トレイ２３は、ケーシング１４に対しては移動しておらずケーシング１４に保持された状態を維持するが、メイントレイ２０に対しては相対的に閉塞位置から開放位置へ移動する。これにより、給紙カセット７８は、ケーシング１４から引き出される動作に連動して、メイントレイ２０の上面における前方側が開けられて開口１４１が現れる（図９（Ｂ）参照）。
【００６０】
一方、収容位置に配置されていたセカンドトレイ２１は、排紙トレイ２３がメイントレイ２０に対して相対的に閉塞位置から開放位置へ移動したことに伴い、リブ１３８，１３９によって突出片１３０，１３１が後方へ押し付けられる。これにより、メイントレイ２０と共に前方へ移動しようとするセカンドトレイ２１が排紙トレイ２３によって制止される。つまり、セカンドトレイ２１は、ケーシング１４に対しては移動せず、メイントレイ２０に対しては相対的に収容位置から給紙位置へ移動する（図９（Ｂ）参照）。
【００６１】
セカンドトレイ２１は、上述した規制部材（不図示）によって給紙位置で停止する。セカンドトレイ２１が給紙位置に配置されると、セカンドトレイ２１の端部２１Ａの爪１２７が分離傾斜板２２の切欠部２２Ｂに入り込む。この状態で給紙カセット７８が前方へ引っ張られると、引っ張り時に加えられた力が支持プレート１２５，１２６と端部１３５，１３６との間に設けられた上記規制部材を介してセカンドトレイ２１に伝達され、更に、突出片１３０，１３１からリブ１３８，１３９を介して排紙トレイ２３に伝達される。この力が係合片１５１，１５２と切り欠き１４６，１４７とによる係合力よりも大きいと、切り欠き１４６，１４７の縁部がヘッド部１５４の傾斜壁１５４Ｂを押圧して、ヘッド部１５４をコイルバネ１５６の付勢力に抗して内壁１４Ａ側へ移動させる。これにより、ヘッド部１５４が切り欠き１４６，１４７から退避して、係合片１５１，１５２と切り欠き１４６，１４７とによる係合が解除される。つまり、ケーシング１４における排紙トレイ２３の保持が解除される。そして、給紙カセット７８は、メイントレイ２０、セカンドトレイ２１、及び排紙トレイ２３が一体となった状態でケーシング１４から取り出される。
【００６２】
このように、ケーシング１４から給紙カセット７８が引き出されて前方へ移動する過程において、排紙トレイ２３がケーシング１４に保持された状態を維持する。このため、メイントレイ２０だけが開口１３から引き出される。また、引き出す動作に連動して、メイントレイ２０の開口１４１が開放される。これにより、ユーザは、開口１４１から記録用紙をメイントレイ２０へ容易に補充できる。つまり、ユーザは、記録用紙の補充動作において、給紙カセット７８を引き出した後に排紙トレイを移動させて開口１４１を開放させるという面倒な作業を行う必要がない。
【００６３】
次に、給紙カセット７８をケーシング１４に装着する動作について説明する。給紙カセット７８は、図９（Ｂ）に示されるように、開口１４１が開放された状態、つまり、排紙トレイ２３が開放位置に配置された状態にある。この状態では、排紙トレイ２３のリブ１３８，１３９とセカンドトレイ２１の突出片１３０，１３１とが接触した状態にある。
【００６４】
図９（Ｂ）に示される状態から、ユーザによって給紙カセット７８が開口１３からケーシング１４内に挿入されると、その挿入過程において、係合片１５１，１５２のヘッド１５４が切り欠き１４６，１４７と係合する。これにより、排紙トレイ２３がケーシング１４に保持される。この状態で更に給紙カセット７８が挿入されると、リブ１３８，１３９と突出片１３０，１３１とが離れ、メイントレイ２０とセカンドトレイ２１とが一体となって後方へ移動する。このとき、排紙トレイ２３はケーシング１４に対して移動しないが、メイントレイ２０に対して開放位置から閉塞位置へ向けて相対的に移動する。そして、給紙カセット７８の装着が完了すると、排紙トレイ２３が閉塞位置に配置されて、開口１４１が閉塞される。これにより、メイントレイ２０内にゴミや埃が侵入することが防止される。また、給紙カセットの装着時に、開口１４１を閉めるために排紙トレイ２３を移動させるという面倒な作業を行う必要がない。
【００６５】
なお、給紙カセット７８がケーシング１４内に装着されると、排紙トレイ２３は閉塞位置に配置されるが、セカンドトレイ２１は、給紙可能な給紙位置に移動された状態となっている。この場合、後述する変形例２の駆動機構によって駆動力が供給されることにより、セカンドトレイ２１は、給紙位置から収容位置へ移動される。
【００６６】
ところで、給紙カセット７８が勢いよくケーシング１４に挿入された場合は、係合片１５１，１５２のヘッド１５４が切り欠き１４６，１４７に係合しても、その係合が外れる場合がある。この場合は、給紙カセット７８の挿入過程において、排紙トレイ２３の側壁１２１，１２２の端部１２１Ａ，１２２Ａがストッパー１６１，１６２の端部１６１Ａ，１６２Ａ（図８参照）に接触する。この状態から更に給紙カセット７８が挿入されると、挿入時に加えられた力と逆向きの力が端部１６１Ａ，１６２Ａから端部１２１Ａ，１２２Ａに伝達される。これにより、端部１２１Ａ，１２２Ａが端部１６１Ａ，１６２Ａによって前方へ押し付けられて、メイントレイ２０に対して排紙トレイ２３が閉塞位置へ移動し始める。そして、排紙トレイ２３が閉塞位置に到達すると、係合片１５１，１５２のヘッド１５４が切り欠き１４６，１４７と係合する。
【００６７】
なお、図１０に示されるように、セカンドトレイ２１がロックレバー１４５によって支持ベース１１０に固定されている場合は、給紙カセット７８の取り出し動作、及び装着動作において、常にセカンドトレイ２１は給紙位置に配置された状態を維持する。
【００６８】
［第１実施形態の変形例１］
以下、図１１を参照して、上述の第１実施形態の変形例について説明する。図１１は、変形例１の構成を示す斜視図であり、（Ａ）はセカンドトレイ２１及び排紙トレイ２３の裏面側の構成を示す斜視図であり、（Ｂ）は（Ａ）における要部XIBの部分拡大図である。なお、上述の実施形態の各構成と共通する構成については、上述の実施形態で使用した符号と同じ番号の符号を付すことにより、その説明を省略する。
【００６９】
変形例１が上述の第１実施形態と異なるところは、リブ１３８，１３９及び突出片１３０，１３１による係合機構に代えて、リブ１３８，１３９、及びスライド部材１７１，１７２による係合機構が採用されている点にある。
【００７０】
変形例１の係合機構は、図１１に示されるように、スライド部材１７１，１７２と、リブ１３８，１３９と、突起部１７５，１７６とから構成されている。図１１（Ｂ）に示されるように、左側の係合機構において、突起部１７５は、リブ１３８の延出方向に沿って後方側へ隔てられた位置に設けられている。このため、リブ１３８の後端と突起部１７５との間に溝１７７が形成されている。リブ１３８の左側の側面から溝１７７に渡って支持台１７８が設けられている。スライド部材１７１は、支持台１７８の上面を左右方向９へスライド可能に支持されている。スライド部材１７１は、リブ１３２にコイルバネ１７３を介して左右方向９の付勢力を受けた状態で支持されている。コイルバネ１７３に外力が加えられていない状態で、スライド部材１７１は溝１７７に進入可能な位置に配置されている。スライド部材１７１がリブ１３２側へ押し付けられると、コイルバネ１７３が圧縮されて、スライド部材１７１が溝１７７からリブ１３２側へ移動する。スライド部材１７１は、前方側に形成された傾斜壁１７１Ａと後方側に形成された傾斜壁１７１Ｂとを有している。コイルバネ１７３に外力が加えられていない状態では、傾斜壁１７１Ａにリブ１３８が接触可能であり、傾斜壁１７１Ｂに突起部１７５が接触可能である。なお、右側の係合機構も左側の係合機構と同様に構成されている。
【００７１】
この変形例１の構成では、給紙カセット７８がケーシング１４に対して着脱される際に、排紙トレイ２３がメイントレイ２０に対して移動すると、当該移動に伴ってセカンドトレイ２１も同じ向きへ移動する。
【００７２】
一方、セカンドトレイ２１が給紙位置において支持ベース１１０にロックレバー１４５によって固定されており、排紙トレイ２３とセカンドトレイ２１とが上記係合機構によって係合されている場合は、給紙カセット７８がケーシング１４に挿入されると、その挿入過程において、係合片１５１，１５２のヘッド１５４が切り欠き１４６，１４７と係合する。これにより、排紙トレイ２３がケーシング１４に保持される。この状態で更に給紙カセット７８が上記係合機構による係合力以上の力で挿入されると、突起部１７６がスライド部材１７１の傾斜壁１７１Ｂを押圧する。これにより、スライド部材１７１がコイルバネ１７３の付勢力に抗してリブ１３２側へ移動し、スライド部材１７１が溝１７７から退避して、スライド部材１７１と溝１７７との係合が解除される。そして、セカンドトレイ２１は給紙位置に配置された状態を維持しつつ、メイントレイ２０と一体になってケーシング１４の後方へ移動する。このとき、排紙トレイ２３はケーシング１４に対して移動しないが、メイントレイ２０に対して開放位置から閉塞位置へ向けて相対的に移動する。そして、給紙カセット７８の装着が完了すると、排紙トレイ２３が閉塞位置に配置されて、開口１４１が閉塞される。
【００７３】
［第１実施形態の変形例２］
なお、上述の第１実施形態の構成や上記変形例１の構成に加えて、セカンドトレイ２１をモータなどの駆動力によって前後方向８へ移動させる駆動機構が設けられた変形例２を採用してもよい。駆動機構としては、例えば、図１２に示されるように、セカンドトレイ２１の右側の端部１３６にラックギヤ１８１が設けられ、このラックギヤ１８１に噛合されたピニオンギヤ１８３が設けられた駆動機構が考えられる。図示しないモータからの回転駆動力がピニオンギヤ１８３に伝達されると、ピニオンギヤ１８３及びラックギヤ１８１によって回転駆動力が直線駆動力に変換されて、セカンドトレイ２１に伝達される。給紙カセット７８がケーシング１４に装着された状態で、駆動機構によってセカンドトレイ２１が駆動されることにより、セカンドトレイ２１は給紙位置と収容位置との間で自動駆動される。このような駆動機構が搭載された複合機１０においても、本発明が適用可能である。
【００７４】
〈第２実施形態〉
以下、図１３を参照しながら、本発明の第２実施形態について説明する。ここに、図１３は、本発明の第２実施形態に係る複合機１０のプリンタ部１１の構造を示す縦断面図である。なお、第１実施形態の各構成と共通する構成については、第１実施形態で使用した符号と同じ番号の符号を付すことにより、その説明を省略する。
【００７５】
本実施形態は、給紙カセット７８において、セカンドトレイ２１に代えてスライドガイド３４（本発明のガイド部材の一例）が設けられている点、経路切換部４１（本発明の搬送手段の一例）及び反転搬送路６７（本発明の搬送路の一例）が設けられている点で、上述の第１実施形態とは異なる。また、プリンタ部１１が、記録用紙の表面（第１面）及び裏面（第２面）の両面に画像を記録する両面画像記録機能を有している点においても上述の第１実施形態とは異なる。
【００７６】
［排紙路６５Ｂ］
本実施形態では、図１３に示されるように、搬送路６５は、メイントレイ２０の先端から記録部２４に至る間に形成された湾曲路６５Ａと、記録部２４から排紙トレイ２３に至る間に形成された排紙路６５Ｂとに区分される。排紙路６５Ｂは、記録部２４よりも搬送方向の下流側で対向配置された下側ガイド部材８２及び上側ガイド部材８３によって区画されている。
【００７７】
図１４は、排紙路６５Ｂ付近の構成を示す部分拡大断面図である。図１４に示されるように、下側ガイド部材８２は、第２搬送ローラ６２及び拍車ローラ６３のニップ位置から前方側（図１４の紙面右側）へ水平に延出されている。排紙路６５Ｂは、第２搬送ローラ６２によって搬送された画像記録済の記録用紙の下面を支持しつつ、下流側へ案内する。下側ガイド部材８２の下流側端部よりも下流側に分岐口３６が形成されている。両面画像記録の際は、排紙路６５Ｂを搬送された記録用紙は、分岐口３６の下流側で経路切換部４１によってスイッチバックされた後に、分岐口３６から下方の反転搬送路６７へ向けて搬送される。
【００７８】
［反転搬送路６７］
図１３に示されるように、反転搬送路６７は、分岐口３６で排紙路６５Ｂから分岐され、給紙カセット７８とその上方に配置された記録部２４との間を通って、記録部２４よりも搬送方向の上流側の合流部に接続されている。なお、合流部は、湾曲路６５Ａの始端（上流側の端部）と反転搬送路６７の終端（下流側の端部）とが合流する部分である。この反転搬送路６７は、上側傾斜ガイド部材３２と、下側傾斜ガイド部材３３と、給紙位置に配置されたスライドガイド３４によって区画される。
【００７９】
このように搬送路６５及び反転搬送路６７が形成されているため、給送部１５によってメイントレイ２０から給紙された記録用紙は、湾曲路６５Ａを通って、記録部２４へ搬送される。この搬送過程において、記録用紙は、外側ガイド部材１８及び内側ガイド部材１９によって、給送部１５の給送ローラ２５が当接した面とは反対の面が記録部２４と対向するように反転される。記録部２４を通過した記録用紙は、排紙路６５Ｂを通って排紙トレイ２３へ搬送されるか、或いは、経路切換部４１により搬送経路が切り換えられて、反転搬送路６７を通って再び記録部２４へ搬送される。
【００８０】
［スライドガイド３４］
スライドガイド３４は、メイントレイ２０の上部で前後方向８にスライド可能に支持されている。このスライドガイド３４は、セカンドトレイ２１と同じように、支持ベース１１０に前後方向８へスライド可能に支持されている。具体的には、ベース本体１１２の裏側に収容される収容位置と、ベース本体１１２から後方へ露出されて反転搬送路６７を搬送されてきた画像記録済の記録用紙を湾曲路６５Ａへ再び給紙可能な給紙位置（図１３の破線で示される位置）との間でスライドガイド３４は移動可能である。スライドガイド３４は、記録用紙を収容する必要がないため、凹部１２８は設けられていない。このスライドガイド３４は、コロ５８が設けられている点において、セカンドトレイ２１と同じ構成である。
【００８１】
スライドガイド３４が上記収容位置から上記給紙位置までスライドされると、給送ローラ２５は、スライドガイド３４の上面３４Ａに当接するようにスライドガイド３４上に配置される（図１３の破線参照）。給送ローラ２５がスライドガイド３４上に配置された状態で、スライドガイド３４の上面３４Ａによって案内される記録用紙を湾曲路６５Ａへ向けて給紙することが可能となる。スライドガイド３４には、給送ローラ２５と対向する位置にコロ５８が回転自在に支持されている。コロ５８は、上面３４Ａに露出されている。給送ローラ２５がスライドガイド３４上に配置された状態で、給送ローラ２５のローラ面とコロ５８とが接触する。スライドガイド３４の上面３４を通過する記録用紙は、給送ローラ２５及びコロ５８によって搬送される。このため、記録用紙はスライドガイド３４から大きな摩擦抵抗を受けることなく円滑に搬送される。
【００８２】
［経路切換部４１］
次に、図１４を参照しながら、経路切換部４１について説明する。経路切換部４１は、排紙路６５Ｂにおける分岐口３６、すなわち排紙路６５Ｂと反転搬送路６７との接続部分付近に配置されている。経路切換部４１は、図１４に示されるように、第３搬送ローラ４５と、拍車ローラ４６と、補助ローラ４７及び補助ローラ４８を有するフラップ４９とにより構成されている。
【００８３】
第３搬送ローラ４５は、下側ガイド部材８２よりも更に下流側に設けられている。第３搬送ローラ４５と下側ガイド部材８２との間に分岐口３６が形成されている。拍車ローラ４６は、第３搬送ローラ４５の上方に配置されており、自重若しくはバネなどによって第３搬送ローラ４５のローラ面に圧接されている。これらの各ローラは、プリンタ部１１のフレーム等に軸支されている。第３搬送ローラ４５は、搬送用モータ（不図示）から正逆回転方向の駆動力が伝達されて、正回転方向又は逆回転方向に回転駆動される。例えば、片面記録が行われる場合は、第３搬送ローラ４５は正回転方向へ回転される。これにより、記録用紙は第３搬送ローラ４５及び拍車ローラ４６に挟持されて下流側へ搬送され、排紙トレイ２３に排紙される。一方、両面記録が行われる場合は、第３搬送ローラ４５及び拍車ローラ４６が記録用紙の後端部を挟持した状態で、第３搬送ローラ４５の回転方向が正回転方向から逆回転方向へ切り換えられる。
【００８４】
上側ガイド部材８３に、図１４の紙面垂直方向へ延びる支軸８７が設けられている。フラップ４９は、支軸８７に軸支されており、支軸８７から概ね下流側へ延出されている。フラップ４９の延出端部４９Ｂは、分岐口３６の上方、詳細には、分岐口３６の中央部３６Ａを超えて第３搬送ローラ４５に近接した位置に達している。フラップ４９の基端部４９Ａ側には補助ローラ４７が軸支されており、延出端部４９Ｂには補助ローラ４８が軸支されている。
【００８５】
フラップ４９は、下側ガイド部材８２よりも上方に位置する排出姿勢（図１４（Ｂ）に示される姿勢）と、延出端部４９Ｂが分岐口３６よりも下方へ進入する反転姿勢（図１４（Ａ）に示される姿勢）との間で支軸８７を中心に回動する。なお、本実施形態では、上側ガイド部材８３には、フラップ４９が没入可能な開口８９が形成されており、フラップ４９は、上記排出姿勢にあるときに開口８９に没入して、排紙路６５Ｂから退避する。また、上記反転姿勢にあるときは、フラップ４９は開口８９から露出されて、補助ローラ４８が下側傾斜ガイド部材３３に当接する。
【００８６】
このように構成されたプリンタ部１１では、記録部２４を通過した画像記録済の記録用紙がフラップ４９に到達すると、フラップ４９は、記録用紙から力を受けて上方へ回動する。これにより、下側ガイド部材８２から第３搬送ローラ４５へ続く搬送経路が通じる。その後、記録用紙の先端が第３搬送ローラ４５及び拍車ローラ４６に到達すると、第３搬送ローラ４５及び拍車ローラ４６によって排紙トレイ２３側へ搬送される。記録用紙が排紙トレイ２３側へ搬送されて、記録用紙の後端が分岐口３６の中央部３６Ａに到達すると、搬送用モータが停止されて、記録用紙が一時停止する。このとき、記録用紙の後端が、フラップ４９による下方への付勢力に耐えきれなくなり、フラップ４９が下方へ回動する。これにより、記録用紙の後端は、下側傾斜ガイド部材３３側へ押し付けられて、その姿勢を維持する。つまり、記録用紙の後端が分岐口３６から反転搬送路６７側に進入する。続いて、搬送用モータが逆回転されることにより、記録用紙は、分岐口３６付近でスイッチバックされて、反転搬送路６７に沿って搬送される。
【００８７】
第３搬送ローラ４５の逆回転方向の駆動力は、図示しない駆動伝達機構を介してスライドガイド３４に伝達される。このため、第３搬送ローラ４５が逆回転すると、スライドガイド３４が上記収容位置から上記給紙位置へ向けて移動し始める。この移動過程において、支持アーム２６がスライドガイド３４によって上方へ押し上げられて、給送ローラ２５がスライドガイド３４上に配置される。そして、スライドガイド３４が給紙位置に配置されると、給送ローラ２５がスライドガイド３４に軸支されたコロ５８に当接する。そして、給送ローラ２５が再駆動されることによって、反転搬送路６７の記録用紙が給送ローラ２５及びコロ５８によって挟持されつつ、直線路６７Ｂから湾曲路６５Ａへ向けて再給紙される。そして、記録用紙が再び記録部２４へ搬送されると、記録部２４によって他方の面に画像が記録される。その後、両面に画像が記録された記録用紙は、排紙トレイ２３へ排出される。
【００８８】
このように、セカンドトレイ２１に代えてスライドガイド３４や経路切換部４１等が設けられ、両面画像記録が可能な複合機１０においても、本発明が適用可能である。なお、スライドガイド３４とメイントレイ２０との間で支持ベース１１０に対してスライド可能なセカンドトレイ２１が設けられた構成も、本発明は適用可能である。
【００８９】
［第２実施形態の変形例］
上述した第２実施形態の反転搬送路６７は、図１５（Ａ）に示されるように、上記スライドガイド３４に加えて、支持ベース１１０に形成された傾斜ガイド１８７によって形成されたものであってもよい。この傾斜ガイド１８７は、反転搬送路６７において分岐路３６から下方へ傾斜する部分を形成する。また、この傾斜ガイド１８７に対向する位置に駆動ローラ１８９が設けられていてもよい。この駆動ローラ１８９は、プリンタ部１１のフレームなどに軸支された回転軸１９０に取り付けられている。この変形例では、給紙カセット７８がケーシング１４内に装着された状態で、駆動ローラ１８９と傾斜ガイド１８７が対向する。これにより、給送ローラ２５の駆動力に加えて駆動ローラ１８９の駆動力によって記録用紙が確実に搬送される。
【００９０】
また、図１５（Ｂ）に示されるように、反転搬送路６７に露出するようにコロ５８と同様にコロ１９２が傾斜ガイド１８７に設けられていてもよい。この場合、給紙カセット７８がケーシング１４内に装着された状態で、駆動ローラ１８９のローラ面とコロ１９２とが接触する。これにより、反転搬送路６７を通過する記録用紙は、駆動ローラ１８９とコロ１９２によって搬送されるため、記録用紙が反転搬送路６７において傾斜ガイド１８７から受ける摩擦抵抗が軽減する。
【符号の説明】
【００９１】
１０・・・複合機
１１・・・プリンタ部
２０・・・メイントレイ
２１・・・セカンドトレイ
２３・・・排紙トレイ
２４・・・記録部
３４・・・スライドガイド
６５・・・搬送路
６７・・・反転搬送路
７８・・・給紙カセット
１１０・・・支持ベース
【図１】
2010235296.tif 000003
【図２】
2010235296.tif 000004
【図３】
2010235296.tif 000005
【図４】
2010235296.tif 000006
【図５】
2010235296.tif 000007
【図６】
2010235296.tif 000008
【図７】
2010235296.tif 000009
【図８】
2010235296.tif 000010
【図９】
2010235296.tif 000011
【図１０】
2010235296.tif 000012
【図１１】
2010235296.tif 000013
【図１２】
2010235296.tif 000014
【図１３】
2010235296.tif 000015
【図１４】
2010235296.tif 000016
【図１５】
2010235296.tif 000017